(57)【要約】      （修正有）【課題】ＳIＭが収容されることを検出でき、構造簡単なスイッチ端子を有する電気コネクタを提供する。【解決手段】電気コネクタ１が使用される時、ＳIＭが収容スペース１７に挿入し、阻止部３９が阻止される。ＳIＭが挿入されることに従って、弾力アーム３８が、スイッチ端子４０が配置される位置に押圧される。ＳIＭが予定の位置に到達すると、弾力部３８３が、スイッチ端子４０の首部４１に接触し、電気接続を達成される。ＳIＭが予定の位置に到達しないと、弾力部３８３が、スイッチ端子４０の首部４１に接触しない。だから、ＳIＭが正確に該電気コネクタ１に収容されるかどうかことを、測定できる。ＳIＭが電気コネクタ１から脱出されたらば、弾力アーム３８が、元の状態に戻り、スイッチ端子４０から離れる。電気回路が切られる。【選択図】図３
0003114220.tif 000002
【実用新案登録請求の範囲】
【請求項１】
相手部品を収容する電気コネクタにおいて、
該電気コネクタは、
絶縁本体と、
絶縁本体に固着される導電端子と、
絶縁本体に取り付けられ、弾力アームが設けられる蓋体と、
絶縁本体と蓋体からなり、相手部品を収容する収容スペースと、
絶縁本体に固着されるスイッチ端子と、を備え、
相手部品が挿入されることに従って、弾力アームが、スイッチ端子と電気接続されることを特徴とする電気コネクタ。
【請求項２】
前記スイッチ端子は、首部と、順番に連接される第１連接部と、第２連接部と、尾部と、を有することを特徴とする、請求項１に記載の電気コネクタ。
【請求項３】
前記第１連接部と、尾部が、それぞれ第２連接部と、垂直に配置されることを特徴とする、請求項２に記載の電気コネクタ。
【請求項４】
前記絶縁本体には、第２挿入槽が、開設され、前記第２、第３連接部が、第２挿入槽に嵌め込まれることを特徴とする、請求項３に記載の電気コネクタ。
【請求項５】
前記尾部が、首部の下部に位置することを特徴とする、請求項３に記載の電気コネクタ。
【請求項６】
前記絶縁本体には、スロットが設置され、尾部がスロットに収容されることを特徴とする、請求項５に記載の電気コネクタ。
【請求項７】
前記蓋体には、複数の半田脚が設けられ、前記導電端子と、スイッチ端子の尾部と、蓋体の半田脚と、が回路基板に半田付けされることを特徴とする、請求項６に記載の電気コネクタ。
【請求項８】
前記弾力アームは、内側へ折れ曲がり、且つ、順番に連接される第１曲がり部と、第２曲がり部と、弾力部と、を有することを特徴とする、請求項１に記載の電気コネクタ。
【請求項９】
前記絶縁本体には、複数の端子槽が開設され、前記導電端子が対応する端子槽に挿入されることを特徴とする、請求項１に記載の電気コネクタ。
【請求項１０】
前記絶縁本体には、複数の係合部片と、凸状部片とが、設けられることを特徴とする、請求項１に記載の電気コネクタ。
【請求項１１】
前記蓋体には、前記係合部片と係合する係合孔と、凸状部片を収容する収容孔が、開設されることを特徴とする、請求項１０に記載の電気コネクタ。
【考案の詳細な説明】
【技術分野】
【０００１】
本考案は電気コネクタに関し、スイッチ端子を有し、ＳIＭ（Subscriber Identification Module）を収容する電気コネクタに関する。
【背景技術】
【０００２】
一種のＳIＭを収容する電気コネクタは、絶縁本体と、絶縁本体に収容される複数の導電端子と、該絶縁本体に取り付けられ、回転可能な蓋体と、を備える。絶縁本体には、スイッチ端子が、設置される。蓋体には、ＳIＭを収容する収容槽が下表面に開設される。スイッチ端子に対応する導電部は、絶縁本体の側辺に、設けられる。該電気コネクタが操作される時、まず、ＳIＭが収容槽に挿入される。次に、蓋体は、蓋体と絶縁本体が連接される側辺からなる回転中心を囲んで、下向きに回転する。蓋体が予定の位置に到達するの間に、導電部が、スイッチ端子と接触し、ＳIＭは、導電端子によって、電気に接続される。最後、蓋体が、絶縁本体に係合される。そのようなスイッチの構造は特許文献１に記載されている。
【０００３】
ところが、該電気コネクタの蓋体が絶縁本体に係合される時、ＳIＭが蓋体に挿入されなくても、導電部は、スイッチ端子と接触できる。だから、ＳIＭが挿入或いは挿入しないことを、表現できない。同時に、該電気コネクタの部品が多過ぎ、構造が複雑すぎる。
【０００４】
従って、本考案は前記の欠点を克服するために一種の新たな電気コネクタを構成する。
【特許文献１】米国特許第６，０６２，８８９号明細書
【考案の開示】
【考案が解決しようとする課題】
【０００５】
本考案の目的は、このような従来の問題点を解決した電気コネクタを提供することである。すなわち、従来の技術と違って、ＳIＭが収容されることを検出でき、構造が簡単なスイッチ端子を有する電気コネクタが得られるようにする。
【課題を解決するための手段】
【０００６】
本考案はＳIＭを収容する電気コネクタに関し、該電気コネクタは、絶縁本体と、絶縁本体に固着される導電端子と、絶縁本体に取り付けられる蓋体と、絶縁本体と蓋体からなり、ＳIＭを収容する収容スペースと、絶縁本体に固着されるスイッチ端子と、を備える。蓋体には、弾力アームが設けられる。ＳIＭが挿入されることに従って、弾力アームが、スイッチ端子と電気接続される。
【考案の効果】
【０００７】
従来の技術に比べると、本考案は以下の長所がある。該ＳIＭが挿入されることに従って、弾力アームが、スイッチ端子が配置される位置に押圧される。ＳIＭが予定の位置に到達したら、弾力部が、スイッチ端子に接触し、電気接続を達成される。だから、ＳIＭが電気コネクタに、正確に収容されるかどうかことを検出できる。且つ、該電気コネクタの部品の構造が簡単である。
【考案を実施するための最良の形態】
【０００８】
図１、図２において、ＳIＭが収容される電気コネクタ１は、絶縁本体１０と、複数の導電端子２０と、蓋体３０と、スイッチ端子４０と、を備える。
【０００９】
図３、図４において、前記絶縁本体１０は、板状の基部１１と、該基部１１の一つの側辺から上向きに突出する固着部１４と、該固着部１４に対向する定位部１６と、を備える。基部１１には、固着部１４と平行に延設する複数の矩形の端子槽１２が、開設される。基部１１の下表面には、複数の定位柱１３が、下向きに突出し、回路基板（図示せず）に固定される。固定部１４の外側には、一対の係合部片１５が、外部へ突出する。定位部１６には、互いに平行な内壁１６６と外壁１６７から形成される。定位部１６には、内壁１６６と外壁１６７によって、複数の第１挿入槽１６１が、間隔のように配列される。内壁１６６の内表面には、一対の凸状部片１６２が、第１挿入槽１６１へ向きに、突設する。基部１１には、基部１１を貫通する貫通孔１６３が内壁１６６の末端に開設される。基部１１の末端には、第２挿入槽１６４と、基部１１を貫通するスロット１６５を、有する。
【００１０】
導電端子２０は、接触部２１と半田部２２を含み、端子槽１２に嵌め込まれる。接触部２１は、ＳIＭと接触しできる。
【００１１】
蓋体３０は、板状部３１と、第１側壁３２と、該第１側壁３２に対向する第２側壁３５と、該第２側壁３５から後方へ延在する弾力アーム３８と、末端に設けられる阻止部３９と、を備える。阻止部３９及び絶縁本体１０によって、ＳIＭが収容される収容スペース１７が画成される。第１側壁３２には、前記係合塊１５に対応する一対の係合孔３４が開設される。第２側壁３５には、前記凸状部片１６２に係合する一対の収容孔３７が設けられる。第１、第２側壁３２、３５には、半田脚３３、３６が外部へ伸びる。内側へ折れ曲がる弾力アーム３８は、順番に連接される第１曲がり部３８１と、第２曲がり部３８２と、弾力部３８３と、を有する。
【００１２】
スイッチ端子４は、金属部材から折れ曲がる。スイッチ端子４は、首部４１と、順番に連接される第１連接部４２と、第２連接部４３と、及び尾部４４と、を有する。第１連接部４２、尾部４４が、それぞれ第２連接部４３と垂直に配列され、且つ、尾部４４が、首部４１の下部に位置する。第１連接部４２の外側面４５には、複数の凸点４５が設けられる。突出部４６が、第２連接部４３の末端に、突出する。
【００１３】
図１、図２及び図３において、該電気コネクタ１は、取付時、先ず、定位柱１３によって、回路基板に固定される。次に、導電端子２０は、絶縁本体１０に固着される。該導電端子２は、対応する端子槽１２に、挿入される。接触部２１は、全て、端子槽１２から同じ方向に上向きに、突伸する。スイッチ端子４０は、絶縁本体１０に固着される。第２、第３連接部４２、４３は、第２挿入槽１６４に、嵌め込まれる。尾部４４が、スロット１６５に収容される。凸点４５と、突出部４６が、絶縁本体１に干渉される。今度は、蓋体３０が、絶縁本体１０に取り付けられる。板状部３１が、基部１１に覆う。蓋体３０の第１側壁３２が、固着部１４の外側にシールドする。係合塊１５が、対応する係合孔３４に、嵌め込まれる。第２側壁３５が、第１挿入槽１６１に挿入される。収容孔３７が、対応する凸状部片１６２に、係合される。弾力アーム３８は、絶縁本体２に位置し、弾力部３８３が、スイッチ４０端子の首部４１のそばに、配置され、首部４１と接触しない。導電端子２０の半田部２２と、蓋体３０の半田脚３３、３６と、スイッチ端子４０の尾部４４が、回路基板に半田付けされる。
【００１４】
電気コネクタ１が使用される時、ＳIＭが収容スペース１７に挿入し、阻止部３９が阻止される。ＳIＭが挿入されることに従って、弾力アーム３８が、スイッチ端子４０が配置される位置に押圧される。ＳIＭが予定の位置に到達すると、弾力部３８３が、スイッチ端子４０の首部４１に接触し、電気接続を達成される。ＳIＭが予定の位置に到達しないと、弾力部３８３が、スイッチ端子４０の首部４１に接触しない。だから、ＳIＭが正確に該電気コネクタ１に収容されるかどうかことを、測定できる。
【００１５】
ＳIＭが電気コネクタ１から脱出されたらば、弾力アーム３８が、元の状態に戻り、スイッチ端子４０から離れる。電気回路が切られる。
【００１６】
他の実施例において、ＳIＭが挿入されない時、弾力アーム３８が、スイッチ端子４０に電気接続される。ＳIＭが正確に挿入されると、弾力アーム３８が、スイッチ端子４０に接触しなくて、電気回路は、ＯＦＦ状態になる。ＳIＭが正確に該電気コネクタ１に収容されるかどうかことを、やはり測定できる。且つ、ＳIＭの代わりに、他の相手コネクタが、適用される。
【００１７】
総じて、本考案の多数の特徴及び長所など、その構造及び機能が共に前述の記載により掲げられている。また前記の説明は、本考案に基づきなし得る細部の修正或は変更など、いずれも本考案の請求範囲に属するものとする。
【産業上の利用可能性】
【００１８】
本考案は電気コネクタに関し、特に、ＳIＭが収容されることを検出でき、構造が簡単なスイッチ端子を有する電気コネクタに関する。
【図面の簡単な説明】
【００１９】
【図１】本考案の電気コネクタの第１角度の立体組立図である。
【図２】本考案の電気コネクタの第２角度の立体組立図である。
【図３】本考案の電気コネクタの第１角度の分解図である。
【図４】本考案の電気コネクタの第２角度の分解図である。
【符号の説明】
【００２０】
１  電気コネクタ
１０  絶縁本体
１１  基部
１２  端子槽
１３  定位柱
１４  固着部
１５  係合塊
１６  定位部
１７  収容スペース
２０  導電端子
２１  接触部
２２  半田部
３０  蓋体
３１  板状部
３２  第１側壁
３３、３６  半田脚
３４  係合孔
３５  第２側壁
３７  収容孔
３８  弾力アーム
３９  阻止部
４０  スイッチ端子
４１  首部
４２  第１連接部
４３  第２連接部
４４  尾部
４５  凸点
４６  突出部
１６１  第１挿入槽
１６２  凸塊
１６３  貫通孔
１６４  第２挿入槽
１６５  スロット
１６６  内壁
１６７  外壁
３８１  第１曲がり部
３８２  第２曲がり部
３８３  弾力部
【図１】
0003114220.tif 000003
【図２】
0003114220.tif 000004
【図３】
0003114220.tif 000005
【図４】
0003114220.tif 000006